(57)【要約】【課題】角波板の凹凸の間隔や深さにかかわらず、折れ目を横切って自由に切断することができる金切り鋏を提供する。【解決手段】静刃片１１が静刃ハンドル２２の先端部に静刃固定部２１を有し、静刃固定部２１に静刃２１ｃを設けて成る。動刃片１２が動刃ハンドル３２の先端部に動刃固定部３１を有し、動刃固定部３１に動刃３１ｃを設けて成る。静刃片１１および動刃片１２は静刃ハンドル２２の中間部および動刃ハンドル３２の中間部で支軸１３を中心として回転可能に取り付けられ、静刃２１ｃと動刃３１ｃとの間で切断可能である。静刃ハンドル２２は、先端部の静刃固定部２１が静刃２１ｃの刃線２１ｆおよび刃線２１ｆの延長線より峰側に配置され、支軸１３と静刃２１ｃとの間で刃線２１ｆの延長線より峰側を通って後端部が静刃２１ｃの裏スキ面２１ｈの延長面より反対側となる動刃片１２の側に配置される。【選択図】図１
2012105889.tif 000002
【特許請求の範囲】
【請求項１】
静刃片と動刃片とを有し、
前記静刃片は静刃ハンドルの先端部に静刃を設けて成り、
前記動刃片は動刃ハンドルの先端部に前記静刃との間で切断可能な動刃を設けて成り、
前記静刃片および前記動刃片は前記静刃ハンドルの中間部および前記動刃ハンドルの中間部で支軸を中心として回転可能に取り付けられ、
前記静刃ハンドルは、先端部が前記静刃の刃線および刃線延長線より峰側に配置され、前記支軸と前記静刃との間で前記刃線延長線より峰側を通って後端部が前記静刃の裏スキ面の延長面より動刃片側に配置されていることを、
特徴とする金切り鋏。
【請求項２】
前記静刃片の刃線の延長方向に対し前記支軸が傾斜していることを、特徴とする請求項１記載の金切り鋏。
【請求項３】
前記静刃ハンドルの前記裏スキ面延長面との交差部分が前記静刃片の刃線の延長方向に対し傾斜し、前記交差部分の厚みが前記静刃の峰側から刃線側にかけて薄くなっていることを、特徴とする請求項１または２記載の金切り鋏。
【請求項４】
前記静刃および前記動刃は厚さ方向に貫通孔を有し、前記貫通孔を貫通する固定ネジにより前記静刃ハンドルの先端部および前記動刃ハンドルの先端部にそれぞれ取り付けられ、前記静刃および前記静刃ハンドルの先端部ならびに前記動刃および前記動刃ハンドルの先端部にはそれぞれ互いに係合して前記固定ネジの軸線中心の前記静刃および前記動刃の回転を止める係合部を有することを、特徴とする請求項１、２または３記載の金切り鋏。
【発明の詳細な説明】
【技術分野】
【０００１】
本発明は、金切り鋏に関する。
【背景技術】
【０００２】
従来の金切り鋏として、容易に切り進めることができるよう、切断時に親指をかけるための親指掛や、切断しやすくするための切欠部を有するものがある（例えば、特許文献１参照）。また、波板や折板を切断するために、刃線の形状を、板の波の形状に合わせて成形したものがある（例えば、特許文献２参照）。
【先行技術文献】
【特許文献】
【０００３】
【特許文献１】実用新案登録第３１１６３５７号公報
【特許文献２】特開２０００−８４２６９号公報
【発明の概要】
【発明が解決しようとする課題】
【０００４】
建築現場などでは、金切り鋏により、断面が曲面状に波打った波板だけでなく、断面が角張った凹凸状の角波板を、凹凸を横切る方向に切断しなければならないことがある。このとき、特許文献１に記載のような金切り鋏では、角張った折れ目のところで真っ直ぐ切断できないという課題があった。無理に真っ直ぐ切断しようとすると、切断面にバリができたり、角波板の塗装面をひっかいて傷つけたりして、角波板が使い物にならなくなる。また、刃線の形状を、角波板の波の形状に合わせて成形した金切り鋏では、凹凸の間隔や深さ等が異なる場合や、凹凸に対して切断方向が変わる場合には使用できないという課題があった。
【０００５】
本発明は、このような課題に着目してなされたもので、角波板の凹凸の間隔や深さにかかわらず、折れ目を横切って自由に切断することができる金切り鋏を提供することを目的としている。
【課題を解決するための手段】
【０００６】
上記目的を達成するために、本発明に係る金切り鋏は、静刃片と動刃片とを有し、前記静刃片は静刃ハンドルの先端部に静刃を設けて成り、前記動刃片は動刃ハンドルの先端部に前記静刃との間で切断可能な動刃を設けて成り、前記静刃片および前記動刃片は前記静刃ハンドルの中間部および前記動刃ハンドルの中間部で支軸を中心として回転可能に取り付けられ、前記静刃ハンドルは、先端部が前記静刃の刃線および刃線延長線より峰側に配置され、前記支軸と前記静刃との間で前記刃線延長線より峰側を通って後端部が前記静刃の裏スキ面の延長面より動刃片側に配置されていることを、特徴とする。
【０００７】
本発明に係る金切り鋏は、角波板の折れ目を横切って切断するとき、折れ目の山部を上側にした状態で、静刃を角波板の下側に、動刃を角波板の上側に配置して、まず、折れ目の位置まで切断する。次に、静刃と動刃とを開いて静刃の刃元を折れ目を越えた谷部に位置付ける。静刃ハンドルおよび動刃ハンドルの後端部を握って静刃および動刃を開閉し、折れ目の位置から折れ目を越えた位置まで連続して切断することができる。このとき、静刃ハンドルの先端部は静刃の刃線および刃線延長線より峰側に配置され、支軸と静刃との間で刃線延長線より峰側を通って後端部が裏スキ面延長面より動刃片側に配置されているので、静刃ハンドルが角波板と干渉しにくく、切断しやすい。本発明に係る金切り鋏は、角波板の凹凸の間隔や深さにかかわらず、折れ目を横切って自由に切断することができる。本発明に係る金切り鋏は、角波板のほか、平板や折板、波板を切断するのに用いてもよい。
【０００８】
本発明に係る金切り鋏は、前記静刃片の刃線の延長方向に対し前記支軸が傾斜していることが好ましい。
この場合、直線状に切断するとき、静刃片の刃線の延長方向に対し支軸が直角な場合に比べて、切断箇所から静刃ハンドルおよび動刃ハンドルの後端部がより離れるので、それらの後端部および後端部を握った手が切断箇所と干渉しにくく、切断しやすい。
【０００９】
本発明に係る金切り鋏は、前記静刃ハンドルの前記裏スキ面延長面との交差部分が前記静刃片の刃線の延長方向に対し傾斜し、前記交差部分の厚みが前記静刃の峰側から刃線側にかけて薄くなっていることが好ましい。
この場合、角波板の折れ目を横切って切断するとき、静刃ハンドルの裏スキ面延長面との交差部分の厚みが切断箇所で狭く、切断箇所から離れた位置ほど広くなる切れ目に対応するので、切断箇所に無理な力がかからず、切断しやすい。
【００１０】
本発明に係る金切り鋏で、前記静刃および前記動刃は厚さ方向に貫通孔を有し、前記貫通孔を貫通する固定ネジにより前記静刃ハンドルの先端部および前記動刃ハンドルの先端部にそれぞれ取り付けられ、前記静刃および前記静刃ハンドルの先端部ならびに前記動刃および前記動刃ハンドルの先端部にはそれぞれ互いに係合して前記固定ネジの軸線中心の前記静刃および前記動刃の回転を止める係合部を有することが好ましい。
この場合、１個の固定ネジのみで前記静刃および前記動刃を動かないよう固定することができる。静刃および動刃は、それぞれ１個の固定ネジのみで固定できるため、切断対象などに応じて交換を容易にすることができる。
【発明の効果】
【００１１】
本発明によれば、角波板の凹凸の間隔や深さにかかわらず、折れ目を横切って自由に切断することができる金切り鋏を提供することができる。
【図面の簡単な説明】
【００１２】
【図１】本発明の実施の形態の金切り鋏を示す（ａ）平面図、（ｂ）正面図である。
【図２】図１に示す金切り鋏の（ａ）左側面図、（ｂ）背面図である。
【図３】図１に示す金切り鋏の角波板を切断する使用状態を示す正面図である。
【図４】図１に示す金切り鋏の角波板を切断する使用状態を示す左側面図である。
【図５】本発明の実施の形態の金切り鋏の切断刃の変形例を示す正面図である。
【発明を実施するための形態】
【００１３】
以下、図面に基づき、本発明の実施の形態について説明する。
図１乃至図５は、本発明の実施の形態の金切り鋏を示している。
図１および図２に示すように、金切り鋏１０は、静刃片１１と動刃片１２とを有している。静刃片１１は、静刃ハンドル２２の先端部に静刃固定部２１を一体的に有し、静刃固定部２１に静刃２１ｃを設けて成っている。動刃片１２は、動刃ハンドル３２の先端部に動刃固定部３１を一体的に有し、動刃固定部３１に動刃３１ｃを設けて成っている。静刃片１１および動刃片１２は、静刃ハンドル２２の中間部および動刃ハンドル３２の中間部で支軸１３を中心として回転可能に取り付けられ、静刃２１ｃと動刃３１ｃとの間で切断可能である。
【００１４】
静刃ハンドル２２は、細長く、ゆるやかなＳ字状に湾曲した形状を有している。動刃ハンドル３２は、静刃ハンドル２２とほぼ同じ長さを有し、細長く、ゆるやかなＳ字状に湾曲した形状を有している。静刃ハンドル２２および動刃ハンドル３２は、支軸１３が取り付けられた中間部が細い板状で、後部が握りやすい楕円形状の断面である。その後部には、周囲に沿って滑り止めの多数の溝が形成されている。静刃固定部２１は、取付面２１ａと係合凸部２１ｂとを有している。動刃固定部３１は、取付面３１ａと係合凸部３１ｂとを有している。
【００１５】
静刃固定部２１の取付面２１ａと動刃固定部３１の取付面３１ａは、互いに平坦で、閉じたときずれた位置で互いに対向する側に設けられている。係合凸部２１ｂは、取付面２１ａの後端部に動刃片１２側に突出するよう設けられている。係合凸部３１ｂは、取付面３１ａの後端部に静刃片１１側に突出するよう設けられている。取付面２１ａは、雄ネジから成る固定ネジ２１ｄと螺合し、取付面２１ａの反対面２１ｅに貫通する雌ネジ孔を有している。取付面３１ａは、雄ネジから成る固定ネジ３１ｄと螺合し、取付面３１ａの反対面３１ｅに貫通する雌ネジ孔を有している。取付面２１ａおよび取付面３１ａの開閉方向外側縁には、側壁が設けられている。
【００１６】
静刃２１ｃおよび動刃３１ｃは、鋼鉄製で薄い矩形板状を成し、それぞれ刃線２１ｆおよび刃線３１ｆを有している。静刃２１ｃは、厚さ方向に固定ネジ２１ｄの軸を貫通させる貫通孔を有し、縁部に係合凹部２１ｇを有している。静刃２１ｃは、刃面を取付面２１ａに当て、峰部を側壁に当て、係合凹部２１ｇを係合凸部２１ｂに係合させて、貫通孔を貫通して雌ネジ孔と螺合する固定ネジ２１ｄにより静刃固定部２１に着脱可能に固定されている。係合凹部２１ｇと係合凸部２１ｂとの係合により、固定ネジ２１ｄの軸線中心の動刃２１ｃの回転が止められている。
【００１７】
動刃３１ｃは、厚さ方向に固定ネジ３１ｄの軸を貫通させる貫通孔を有し、縁部に係合凹部３１ｇを有している。動刃３１ｃは、刃面を取付面３１ａに当て、峰部を側壁に当て、係合凹部３１ｇを係合凸部３１ｂに係合させて、貫通孔を貫通して雌ネジ孔と螺合する固定ネジ３１ｄにより動刃固定部３１に着脱可能に固定されている。係合凹部３１ｇと係合凸部３１ｂとの係合により、固定ネジ３１ｄの軸線中心の動刃３１ｃの回転が止められている。
【００１８】
静刃ハンドル２２は、静刃固定部２１と支軸１３との間に傾斜部２３を有している。静刃ハンドル２２は、傾斜部２３の位置でクランク状に折れ曲がっている、静刃ハンドル２２は、先端部の静刃固定部２１が静刃２１ｃの刃線２１ｆおよび刃線２１ｆの延長線より峰側に配置され、支軸１３と静刃２１ｃとの間で刃線２１ｆの延長線より峰側を通って後端部が静刃２１ｃの裏スキ面２１ｈの延長面より反対側となる動刃片１２の側に配置されている。
【００１９】
支軸１３は、静刃片１１の刃線２１ｆの延長方向に対し傾斜している。静刃ハンドル２２の裏スキ面２１ｈの延長面との交差部分は傾斜部２３に位置し、動刃片１２と反対側の傾斜面２３ａは静刃片１１の刃線２１ｆの延長方向に対し傾斜している。傾斜部２３の厚みは、静刃２１ｃの峰側から刃線２１ｆの側にかけて薄くなっている。傾斜部２３は、傾斜面２３ａの刃線２１ｆ付近の角２３ｂが、裏スキ面２１ｈのほぼ延長面上に位置付けられている。
【００２０】
静刃片１１および動刃片１２は、開閉するとき、静刃２１ｃの刃線２１ｆと動刃３１ｃの刃線３１ｆとが互いに交差するよう設けられている。静刃片１１および動刃片１２は、閉じたとき、静刃ハンドル２２の後端と動刃ハンドル３２の後端とが当って止まる。静刃片１１および動刃片１２は、閉じたとき、静刃２１ｃの裏スキ面２１ｈと動刃３１ｃの裏スキ面３１ｈが重なり合う。こうして、静刃２１ｃおよび動刃３１ｃで切断可能である。
【００２１】
次に、作用について説明する。
図３および図４に示すように、金切り鋏１０は、角波板１の折れ目１ａを横切って切断するとき、折れ目１ａの山部を上側にした状態で、静刃２１ｃを角波板１の下側に、動刃３１ｃを角波板１の上側に配置して、まず、折れ目１ａの位置まで切断する。次に、静刃２１ｃと動刃３１ｃとを開いて静刃２１ｃの刃元を折れ目１ａを越えた谷部で切断箇所１ｃに位置付ける。静刃ハンドル２２および動刃ハンドル３２の後端部を握って静刃２１ｃおよび動刃３１ｃを開閉し、折れ目１ａの位置から折れ目１ａを越えた位置まで連続して切断することができる。
【００２２】
このとき、静刃ハンドル２２の先端部の静刃固定部２１は静刃２１ｃの刃線２１ｆおよび刃線延長線より峰側に配置され、支軸１３と静刃２１ｃとの間で刃線延長線より峰側を通って静刃ハンドル２２の後端部が裏スキ面２１ｈの延長面より反対側の動刃片１２の側に配置されているので、静刃ハンドル２２が角波板１と干渉しにくく、切断しやすい。また、角波板１の折れ目１ａを横切って切断するとき、静刃ハンドル２２の裏スキ面２１ｈの延長面との交差部分である傾斜部２３の厚みが切断箇所１ｃで狭く、切断箇所１ｃから離れた位置ほど広くなる切れ目１ｂに対応するので、切断箇所１ｃに無理な力がかからず、切断しやすい。
【００２３】
折れ目１ａの谷部が上側となるときには、普通に切り進めることができる。金切り鋏１０は、角波板１の凹凸の間隔や深さにかかわらず、折れ目１ａを横切って自由に切断することができる。金切り鋏１０は、角波板１のほか、平板や折板、波板を切断するのに用いてもよく、自由な形状に切断することができる。
【００２４】
金切り鋏１０は、静刃片１１の刃線２１ｆの延長方向に対し支軸１３が傾斜しているので、直線状に切断するとき、静刃片１１の刃線２１ｆの延長方向に対し支軸が直角な場合に比べて、切断箇所から静刃ハンドル２２および動刃ハンドル３２の後端部がより離れるので、それらの後端部および後端部を握った手が切断箇所と干渉しにくく、切断しやすい。
【００２５】
金切り鋏１０は、静刃２１ｃおよび動刃３１ｃが係合凹部２１ｇ、３１ｇを係合凸部２１ｂ、３１ｂに係合させて取り付けられているので、それぞれ１個の固定ネジ２１ｄ、３１ｄのみで固定することができる。このため、図５に示すように、静刃２１ｃおよび動刃３１ｃを、切断対象などに応じて容易に交換することができる。図５に示す例では、平板を切断するのに適した、刃線２１ｆ、３１ｆの長い静刃２１ｃおよび動刃３１ｃが取り付けられている。
【符号の説明】
【００２６】
１  角波板
１ａ  折れ目
１０  金切り鋏
１１  静刃片
２１  静刃固定部
２１ａ  取付面
２１ｂ  係合凸部
２１ｃ  静刃
２１ｄ  固定ネジ
２１ｅ  取付面の反対面
２１ｆ  刃線
２１ｇ  係合凹部
２１ｈ  裏スキ面
２２  静刃ハンドル
２３  傾斜部
２３ａ  傾斜面
１２  動刃片
３１  動刃固定部
３１ａ  取付面
３１ｂ  係合凸部
３１ｃ  動刃
３１ｄ  固定ネジ
３１ｅ  取付面の反対面
３１ｆ  刃線
３１ｇ  係合凹部
３１ｈ  裏スキ面
３２  動刃ハンドル
１３  支軸
【図１】
2012105889.tif 000003
【図２】
2012105889.tif 000004
【図３】
2012105889.tif 000005
【図４】
2012105889.tif 000006
【図５】
2012105889.tif 000007